(57)【要約】【課題】機械を停止させる停止スイッチを作動させる停止キーを構成する薄型キーと厚型キーとを選択的にロックできるようにする。【解決手段】本発明は、エスカレーター２を停止させる停止キーを操作盤のキー穴へ差し込まれた状態でロックするキーロック装置１であって、停止キーは薄型キーと、薄型キーよりも厚さ寸法が大きく、かつ厚さ方向と直交する方向の幅寸法が薄型キーよりも小さい厚型キーとを含み、停止キーが差し込まれるキー溝が形成され操作盤のキー穴に差し込まれた停止キーの回動と一体的に回動する回動体２１を備え、回動体２１のキー溝２１ｃは、薄型キーの厚さ寸法及び幅寸法に適合する溝形状の薄型キー溝部を構成する刻みキー溝部２１ｃ１と、厚型キーの厚さ寸法及び幅寸法に適合する溝形状の厚型キー溝部を構成するディンプルキー溝部２１ｃ２とを含む。【選択図】図５
2018168538.tif 000002
【特許請求の範囲】
【請求項１】
機械を停止させる停止スイッチを作動させる停止キーを、前記機械に設けられた操作盤のキー穴へ差し込まれた状態でロックするキーロック装置であって、
前記停止キーは、薄型キーと、前記薄型キーよりも厚さ寸法が大きく、かつ、厚さ方向と直交する方向の幅寸法が前記薄型キーよりも小さい厚型キーとを含み、
前記停止キーが差し込まれるキー溝が形成され操作盤のキー穴に差し込まれた前記停止キーの回動と一体的に回動する回動体を備え、
前記回動体のキー溝は、前記薄型キーの厚さ寸法及び幅寸法に適合する溝形状の薄型キー溝部と、前記薄型キー溝部と重ねて設けられており、前記厚型キーの厚さ寸法及び幅寸法に適合する溝形状の厚型キー溝部とを含んでいることを特徴とするキーロック装置。
【請求項２】
請求項１に記載のキーロック装置であって、
前記機械は乗客コンベアから成り、
前記薄型キーは、薄型キー用の操作盤に設けられた停止スイッチを作動可能で、厚さ方向と直交する幅方向の側端部に刻み部が形成された刻みキーを構成する第１キーから成り、前記厚型キーは、厚型キー用の操作盤に設けられた停止スイッチを作動可能で、厚さ方向に位置する側面に凹部が形成されたディンプルキーを構成する第３キーから成り、
ベースと、前記ベースに開閉可能に設けたカバーと、前記カバーを前記ベースに施錠する施錠装置と、
前記回動体を介して前記第１キーまたは前記第３キーを前記ベースに回動可能に保持する第１保持装置と、
前記薄型キー用の操作盤に設けられた起動スイッチを作動可能で、刻みキーを構成する第２キー、及び前記厚型キー用の操作盤に設けられた起動スイッチを作動可能で、ディンプルキーを構成する第４キーが差し込み可能なキー溝が形成されたスライダー板を有し、前記スライダー板を介して前記第２キーまたは前記第４キーを、前記薄型キー用の操作盤または前記厚型キー用の操作盤に設けられた起動スイッチと停止スイッチとが並ぶ方向と同一方向に移動可能に前記ベースに保持する第２保持装置とを備え、
前記回動体のキー溝は、前記第１キーの厚さ寸法に適合する幅寸法、及び前記第１キーの幅寸法に適合する長さ寸法を有し前記薄型キー溝部を形成する刻みキー溝部と、前記第３キーの厚さ寸法に適合する幅寸法、及び前記第３キーの幅寸法に適合する長さ寸法を有し前記厚型キー溝部を形成するディンプルキー溝部とを含み、
前記スライダー板のキー溝は、前記第２キーの厚さ寸法に適合する幅寸法、及び前記第２キーの幅寸法に適合する長さ寸法を有する第２刻みキー溝部と、前記第４キーの厚さ寸法と適合する幅寸法、及び前記第４キーの幅寸法に適合する長さ寸法を有する第２ディンプルキー溝部とを含んでおり、
刻みキーから成る前記第１キーと、ディンプルキーから成る前記第３キーとを、選択的にロックすることを特徴とするキーロック装置。
【請求項３】
請求項２に記載のキーロック装置であって、
刻みキーから成る前記第１キーと前記第２キーとは同一形状寸法に形成されており、ディンプルキーから成る前記第３キーと前記第４キーとは同一形状寸法に形成されていることを特徴とするキーロック装置。
【請求項４】
請求項３に記載のキーロック装置であって、
前記回動体のキー溝、及び前記スライダー板のキー溝のそれぞれは、十字溝から成ることを特徴とするキーロック装置。
【請求項５】
請求項４に記載のキーロック装置であって、
前記カバーは、刻みキーから成る前記第１キー及び前記第２キーと、ディンプルキーから成る前記第３キー及び前記第４キーとを選択的に収納可能な収納空間を有することを特徴とするキーロック装置。
【発明の詳細な説明】
【技術分野】
【０００１】
本発明は、乗客コンベア等の機械を停止させるキーをロック可能なキーロック装置に関する。
【背景技術】
【０００２】
特許文献１に、機械例えば乗客コンベアの保守点検作業に際して活用される保守点検用キーロック装置が開示されている。この特許文献１に開示された従来技術は、厚さ方向と直交する幅方向の側端部に刻み部が形成された刻みキーをロックするものである。この刻みキーは、乗客コンベアを停止させる際に乗客コンベアに設けられた操作盤のキー穴に差し込まれ、回動させることにより乗客コンベアを停止させる停止スイッチを作動させる。また、この従来技術は、乗客コンベアを停止させる際に刻みキーが差し込まれるキー溝が形成されており、操作盤のキー穴に差し込まれた刻みキーの回動と一体的に回動する回動体を備えている。
【先行技術文献】
【特許文献】
【０００３】
【特許文献１】特開平８−２０９９９０号公報
【発明の概要】
【発明が解決しようとする課題】
【０００４】
特許文献１に開示された保守点検用キーロック装置は、刻みキーを乗客コンベアに設けられた操作盤のキー穴に差し込み、停止位置まで回動させ停止スイッチを作動させて乗客コンベアを停止させた際に、停止スイッチを停止位置に保つ。
【０００５】
ところで昨今、防犯性に優れたディンプルキーが差し込まれるキー穴を有する操作盤が設けられた乗客コンベアが開発されてきている。なお、ディンプルキーは、厚さ方向に沿う側面に複数の凹部を有するものであり、これに伴って刻みキーよりも厚さ寸法が厚く形成されている。このため従来にあっては、保守点検作業のために乗客コンベアを停止させる停止スイッチを作動させるキー、すなわち停止キーをロックするキーロック装置として、複数の異なるキーロック装置が必要となっている。第１のキーロック装置は、乗客コンベアに設けられた薄型キー用の操作盤に対応させて薄型キーを構成する刻みキーに適合する寸法形状のキー溝を有する回動体を備えたキーロック装置である。第２のキーロック装置は、厚型キー用の操作盤に対応させて厚型キーを構成するディンプルキーに適合する寸法形状のキー溝を有する回動体を備えたキーロック装置である。このために従来では、キーロック装置の製作費が高くなる問題があった。
【０００６】
また、保守点検作業時には、刻みキーが差し込まれるキー穴を有する薄型キー用の操作盤を備えた乗客コンベアと、ディンプルキーが差し込まれるキー穴を有する厚型キー用の操作盤を備えた乗客コンベアに対応させて、操作盤の設置現場まで持ち運ぶキーロック装置を適切に選択する煩わしさがあった。なお、操作盤のキー穴との不適合を避けるためには、予め複数の異なるキーロック装置を準備して操作盤の設置現場まで持ち運ぶ別の煩わしさもあった。
【０００７】
上記課題を解決するために、本発明の目的は、機械を停止させる停止スイッチを作動させる停止キーを構成する薄型キーと厚型キーとを選択的にロックすることができるキーロック装置を提供するにある。
【課題を解決するための手段】
【０００８】
上記課題を解決するために、本発明に係るキーロック装置は、機械を停止させる停止スイッチを作動させる停止キーを、前記機械に設けられた操作盤のキー穴へ差し込まれた状態でロックするキーロック装置であって、前記停止キーは、薄型キーと、前記薄型キーよりも厚さ寸法が大きく、かつ、厚さ方向と直交する方向の幅寸法が前記薄型キーよりも小さい厚型キーとを含み、前記停止キーが差し込まれるキー溝が形成され操作盤のキー穴に差し込まれた前記停止キーの回動と一体的に回動する回動体を備え、前記回動体のキー溝は、前記薄型キーの厚さ寸法及び幅寸法に適合する溝形状の薄型キー溝部と、前記薄型キー溝部と重ねて設けられており、前記厚型キーの厚さ寸法及び幅寸法に適合する溝形状の厚型キー溝部とを含んでいることを特徴とする。
【発明の効果】
【０００９】
本発明によれば、異なるキー穴を有する複数の操作盤に対するキーロック装置の共用化を実現でき、従来よりもキーロック装置の製作費を低減させることができる。また、機械の停止保持に際しては操作盤が、薄型キーが差し込まれるキー穴を有する薄型キー用の操作盤か、厚型キーが差し込まれるキー穴を有する厚型キー用の操作盤かにかかわらず、一つのキーロック装置を操作盤が設けられた機械の設置現場まで持ち運べは済む。前述した以外の課題、構成及び効果は、以下の実施形態の説明により明らかにされる。
【図面の簡単な説明】
【００１０】
【図１】本発明に係るキーロック装置の一実施形態を示す分解斜視図である。
【図２】本実施形態のカバーを開いた状態を示す斜視図である。
【図３】本実施形態が適用される機械の一例として挙げたエスカレーターの下部入口部の概略図である。
【図４】図３に示すエスカレーターに備えられた薄型キー用の操作盤の拡大図である。
【図５】本実施形態に備えられた第１保持装置の回動体部分の平面図である。
【図６】本実施形態に備えられた第２保持装置のスライダー板を示す平面図である。
【図７】内部に第１キー及び第２キーを収納したカバーを閉じた状態を示す正面図である。
【図８】本実施形態に係るキーロック装置の正面図である。
【図９】本実施形態の左側面図である。
【図１０】本実施形態の右側面図である。
【図１１】本実施形態の背面図である。
【図１２】本実施形態の平面図である。
【図１３】本実施形態の底面図である。
【図１４】本実施形態を図３に示したエスカレーターの操作盤に取り付けた状態図である。
【図１５】本実施形態に選択的に配設される第３キー及び第４キーを示す平面図である。
【図１６】本発明の別の実施形態の要部を示す図で、（ａ）は第１保持装置の回動体を示す平面図、（ｂ）は第２保持装置のスライダー板を示す平面図である。
【図１７】本実施形態の参考として挙げた図で、（ａ）は回動体を示す平面図、（ｂ）はスライダー板を示す平面図である。
【発明を実施するための形態】
【００１１】
以下、本発明に係るキーロック装置の実施の形態を図面に基づいて説明する。
【００１２】
本実施形態に係るキーロック装置は、機械の一例として挙げた乗客コンベア、例えばエスカレーター２に設けられ後述の停止スイッチ４、起動スイッチ５を有する図３に示す薄型キー用の操作盤３、及び図示しない停止スイッチ、起動スイッチを有する厚型キー用の操作盤に選択的に装着される。本実施形態は、エスカレーター２の保守点検作業に際してエスカレーター２を停止保持するために用いられるものであり、エスカレーター２を停止させる停止スイッチを作動させる停止キーを、薄型キー用の操作盤３、または図示しない厚型キー用の操作盤のキー穴へ差し込まれた状態でロックするキーロック装置である。
【００１３】
停止キーは、薄型キー例えば厚さ方向と直交する幅方向の側端部に刻み部が形成された刻みキーと、厚型キー例えば刻みキーよりも厚さ寸法が大きく、かつ、厚さ方向と直交する方向の幅寸法が刻みキーよりも小さいディンプルキーとを含む。停止キーを構成する刻みキーは、薄型キー用の操作盤３に設けられた図４に示す停止スイッチ４を作動可能な図１に示す第１キー１０から成っている。停止キーを構成するディンプルキーは、図示しない厚型キー用の操作盤に設けられた停止スイッチを作動可能な図１５に示す第３キー３５から成っている。同図１５に示すように、第３キー３５の厚さ方向に位置する側面３５ａには、複数の凹部３５ａ１が形成されている。なお、後述のディンプルキーを構成する第４キー３６も、第３キー３５と同様に厚さ方向に位置する側面３６ａには、複数の凹部３６ａ１が形成されている。
【００１４】
図３に示すようにエスカレーター２の下部入口２ａには、例えば薄型キー用の操作盤３が設けられている。図４に示すように操作盤３には、停止スイッチ４と起動スイッチ５が並設されている。停止スイッチ４は、そのキー穴４ａを中立位置４ｂから停止位置４ｃに移動させることによりエスカレーター２の駆動源を開放させる。中立位置４ｂでのみキーの抜き差しが可能であり、かつ、停止位置４ｃではキーが抜けない構造となっている。起動スイッチ５は、そのキー穴５ａを中立位置５ｂから上昇位置５ｃに移動させるとエスカレーター２のステップ及びハンドレールを上方に移動させる。また、キー穴５ａを中立位置５ｂから下降位置５ｄに移動させるとエスカレーター２のステップ及びハンドレールを下方に移動させる。停止スイッチ４は、キー穴４ａを中立位置４ｂから停止位置４ｃに移動させても、その移動したキー穴４ａをフリーな状態とすると、元の位置、すなわち、中立位置４ｂに、復帰ばねによって戻るように構成されている。
【００１５】
図１及び図２に示すように、本実施形態に係るキーロック装置１は、合成樹脂製のベース６と、このベース６の一端に開閉可能に小ねじ７、７ａにより軸支してなる合成樹脂製のカバー８と、このカバー８をベース６に施錠する施錠装置９とを備えている。また、キーロック装置１は、第１キー１０をベース６に回動可能に保持する第１保持装置１２と、操作盤３に設けられた起動スイッチ５を作動可能で刻みキーを構成する第２キー１１を、起動スイッチ５と停止スイッチ４とが並ぶ方向と同一方向に移動可能状態でベース６に保持する第２保持装置１３とを備えている。
【００１６】
なお、図示しない厚型キー用の操作盤に設けられた停止スイッチを作動させるディンプルキーを構成する停止キーである図１５に示す第３キー３５が配設された場合には、第３キー３５は第１保持装置１２によって回動可能にベース６に保持される。また、図示しない厚型キー用の操作盤に設けられた起動スイッチを作動させるディンプルキーである図１５に示す第４キー３６が配設された場合には、第４キー３６は第２保持装置１３によって保持される。この場合第４キー３６は、起動スイッチと停止スイッチとが並ぶ方向と同一方向に移動可能な状態でベース６に保持される。
【００１７】
施錠装置９は、細長箱状のカバー８内側に摺動可能に軸支された軸体１４と、この軸体１４の外周に、かつ回転可能に設けた２個の番号リング１５、１６と、軸体１４に一体的に設けた係止体１７と、カバー８の側面から突出させ、かつ、軸体１４を押すための釦部１８とを備えている。また、釦部１８によって軸体１４が押される方向とは反対方向に付勢するコイルばねからなるばね体１９を備えている。また、ベース６に設けられ、釦部１８を押すことによって軸体１４が押される方向に移動したときに係止体１７との係止が解除され、釦部１８を押すのを止めてばね体１９の付勢方向に軸体１４が移動したときに係止体１７に係止する被係止体２０を備えている。
【００１８】
被係止体２０は、ベース６にねじ込まれた小ねじからなっている。係止体１７は、被係止体２０を構成し小ねじの頭部下部に当接する円弧状の爪部１７ａを有している。第１保持装置１２は、砲金製の回動体２１と、この回動体２１をベース６に保持する合成樹脂製の保持枠２２と、この保持枠２２に回動体２１を仮止めする仮止め機構２３とを備えている。
【００１９】
図５に示すように、回動体２１は、十字溝を形成するキー溝２１ｃを有している。キー溝２１ｃは、刻みキーを構成する第１キー１０の厚さ寸法及び幅寸法に適合する溝形状の薄型キー溝部、すなわち刻みキー溝部２１ｃ１を有している。また、キー溝２１ｃは、刻みキー溝部２１ｃ１と重ねて設けられてディンプルキーを構成する図１５に示す第３キー３５の厚さ寸法及び幅寸法に適合する溝形状の厚型キー溝部、すなわちディンプルキー溝部２１ｃ２を有している。ディンプルキーを構成する第３キー３５の形状寸法に応じて、ディンプルキー溝部２１ｃ２は刻みキー溝部２１ｃ１よりも短い寸法に設定されている。
【００２０】
図１に示すベース６の回動体取付開口６ａに回動体２１の径小部２１ａを嵌合させた後、その回動体２１の上面を覆うように保持枠２２を２個の小ねじ２４でベース６に固定すれば、第１保持装置１２のベース６への組立てを完了させることができる。図５に示すように仮止め機構２３は、回動体２１の外周にほぼ等間隔に設けた４つの溝２１ｂのいずれか一つに係止する係止球２３ａを有している。また、仮止め機構２３は、係止球２３ａを溝２１ｂ側に付勢する小ばね２３ｂを有している。この仮止め機構は、図１に示す保持枠２２の取付穴内に設置される。保持枠２２の取付穴内から係止球２３ａ及び小ばね２３ｂから外れないように、小ねじが保持枠２２の取付穴に固定されている。保持枠２２は、ベース６の表面より突出しており、その突出部をカバー８の内周壁に嵌合させることによりインローとしての役目も果たす。
【００２１】
第２保持装置１３は、砲金製のスライダー板２５と、このスライダー板２５をベース６に摺動可能に保持する合成樹脂製のスライダー板取付枠２６とを有している。
【００２２】
図６に示すように、スライダー板２５は、十字溝を形成するキー溝２５ａを有している。キー溝２５ａは、刻みキーを構成する第２キー１１の厚さ寸法及び幅寸法に適合する溝形状の薄型キー溝部、すなわち第２刻みキー溝部２５ａ１を有している。また、スライダー板２５は、第２刻みキー溝部２５ａ１と重ねて設けられてディンプルキーを構成する図１５に示す第４キー３６の厚さ寸法及び幅寸法に適合する溝形状の第２ディンプルキー溝部２５ａ２を有している。ディンプルキーを構成する第４キー３６の形状寸法に応じて、第２ディンプルキー溝部２５ａ２は第２刻みキー溝部２５ａ１よりも短い寸法に設定されている。スライダー板２５の十字溝を形成するキー溝２５ａと、前述した回動体２１の十字溝を形成するキー溝２１ｃとは、互いに同一形状寸法に設定されている。
【００２３】
なお、刻みキー溝部２１ｃ１とディンプルキー溝部２１ｃ２が形成されたキー溝２１ｃを有する図５に示す回動体２１に代えて、図１７の（ａ）に示す回動体５０を設けることが考えられる。すなわち、図５に示す回動体２１の刻みキー溝部２１ｃ１の長さ寸法と同等の長さ寸法に設定され、全長にわたってディンプルキー溝部２１ｃ２と同等の幅寸法に設定された十字溝を形成するキー溝５１を有する回動体５０を設けることが考えられる。しかしこのように構成されたものでは、回動体５０のキー溝５１に刻みキーを構成する第１キー１０あるいはディンプルキーを構成する第３キー３５が挿入された際に、キー溝５１と第１キー１０あるいは第３キー３５との間に隙間を生じることから、第１キー１０あるいは第３キー３５の回動操作に際してガタを生じやすい。このガタによって操作盤３の停止スイッチ４を誤動作させてしまう懸念がある。図５に示す本実施形態に備えられた回動体２１は、キー溝２１ｃが、刻みキーである第１キー１０がガタを生じることなく適合する刻みキー溝部２１ｃ１と、ディンプルキーである第３キー３５がガタを生じることなく適合するディンプルキー溝部２１ｃ２を有する。これにより、図１７の（ａ）に示す回動体５０におけるような停止スイッチ４の誤動作を防ぐことができる。
【００２４】
また、第２刻みキー溝部２５ａ１と第２ディンプルキー溝部２５ａ２が形成されたキー溝２５ａを有する図６に示すスライダー板２５に代えて、図１７の（ｂ）に示すスライダー板５２を設けることが考えられる。すなわち、図６に示すスライダー板２５の第２刻みキー溝部２５ａ１の長さ寸法と同等の長さ寸法に設定され、全長にわたって第２ディンプルキー溝部２５ａ２と同等の幅寸法に設定された十字溝を形成するキー溝５３を有するスライダー板５２を設けることが考えられる。しかしこのように構成されたものでは、スライダー板５２のキー溝５３に刻みキーを構成する第２キー１１あるいはディンプルキーを構成する第４キー３６が挿入された際に、キー溝５３と第２キー１１あるいは第４キー３６との間に隙間を生じることから、第２キー１１あるいは第４キー３６の回動操作に際してガタを生じやすい。このガタによって操作盤３の起動スイッチ５を誤動作させてしまう懸念がある。図６に示す本実施形態に備えられたスライダー板２５は、キー溝２５ａが、刻みキーである第２キー１１がガタを生じることなく適合する刻みキー溝部２５ａ１と、ディンプルキーである第４キー３６がガタを生じることなく適合する第２ディンプルキー溝部２５ａ２を有する。これにより、図１７の（ｂ）に示すスライダー板５２におけるような起動スイッチ５の誤動作を防ぐことができる。
【００２５】
スライダー板取付枠２６は、ベース６の表面より突出しており、その突出部をカバー８の内周壁に嵌合させることによって、インローとしての役目も果たす構成になっている。スライダー板取付枠２６は、４つの小ねじ２７によって、ベース６に固定される。ベース６の細長開口６ｂにスライダー板２５の段部２５ｂを嵌合させた後、そのスライダー板２５及び細長開口６ｂの上方からスライダー板取付枠２６をベース６に固定すれば、第２保持装置１３のベース６への組立てを完了させることができる。スライダー板取付枠２６をベース６に固定した状態では、そのベース６とスライダー板取付枠２６との間には、スライダー板２５が円滑に移動できる移動溝が形成される。
【００２６】
刻みキーを構成する第１キー１０と第２キー１１は、金属製であって、互いに同一形状寸法に形成してある。同様に、ディンプルキーを構成する第３キー３５と第４キー３６も、金属製であって、互いに同一形状寸法に形成してある。例えば、第１キー１０及び第２キー１１の厚さ寸法は２ｍｍに、幅寸法は９ｍｍに設定されている。また、第３キー３５及び第４キー３６の厚さ寸法は２．６ｍｍに、幅寸法は６ｍｍに設定されている。
【００２７】
図１に示すように、カバー８の内底には十字状の凹部８ａが形成されている。カバー８が閉じてカバー８の内周壁が第１保持装置１２及びスライダー板取付枠２６のインロー部分に嵌合した状態のとき、回動体２１のキー溝２１ｃの刻みキー溝部２１ｃ１に嵌合した第１キー１０の頭部、または回動体２１のキー溝２１ｃのディンプルキー溝部２１ｃ２に嵌合した第３キー３５の頭部が凹部８ａに嵌合する。
【００２８】
仮止め機構２３は、スライダー板２５が摺動する方向に対してほぼ４５度交差する直線に沿う位置で回動体２１が係止球２３ａによって仮固定される。スライダー板２５のキー溝２５ａを構成する十字溝を構成する一組の第２刻みキー溝部２５ａ１と第２ディンプルキー溝部２５ａ２は、起動スイッチ５のキー穴５ａへの差し込みが可能な上下方向に沿って形成されている。また、十字溝を構成する他の組の第２刻みキー溝部２５ａ１と第２ディンプルキー溝部２５ａ２は、スライダー板２５がベース６上を摺動する方向と平行の左右方向に沿うように形成されている。
【００２９】
施錠装置９の番号リング１５、１６の外周表面には、０〜９の番号１５ａ、１６ａが等間隔に付してある。その番号リング１５、１６の内周には、固定リング２８、２９が嵌合されている。固定リング２８、２９の内周には、ストッパー溝２８ａ、２９ａが形成されている。軸体１４の外周には、ストッパー溝２８ａ、２９ａに嵌合するストッパー片１４ａが一列に複数個設けられている。固定リング２８、２９の外周には、番号リング１５、１６の内周に等間隔に設けた１０個の凹部１５ｂ、１６ｂに嵌合する１０個の凸部２８ｂ、２９ｂが形成されている。カバー８の側面に設けた施錠装置取付穴８ｂに軸体１４が挿入される。その軸体１４に、ストッパー溝２８ａ、２９ａをストッパー片１４ａに合わせながら、あらかじめ外周に番号リング１５、１６を装着してなる固定リング２８、２９が挿入される。その後、軸体１４の径小部１４ｂに係止体１７とばね体１９が挿入され、その径小部１４ｂを小ねじ３０でカバー８の側面に固定すれば、施錠装置９のカバー８側での組立作業が完了する。
【００３０】
施錠装置９は、軸体１４がカバー８に固定された状態ではカバー８の上面８ｃに設けた開口８ｄより番号リング１５、１６の外周の一部が突出するように構成されている。この開口８ｄから突出している番号リング１５、１６を保守点検者が指先で回転させて暗証番号にセットすると、ストッパー溝２８ａ、２９ａとストッパー片１４ａの位置が一致する。したがって、釦部１８を押すと軸体１４がばね体１９の付勢に逆らって移動させられ、係止体１７が被係止体２０から離れるので、カバー８をベース６から開くことができる。釦部１８を押すのを止めると、ばね体１９によって軸体１４が元の状態に戻り、再び係止体１７が被係止体２０に係合し、カバー８をベース６から開くことができない状態となる。
【００３１】
番号リング１５、１６の外周には、０〜９の番号１５ａ、１６ａの各々の間に凹部１５ｃ、１６ｃが形成されている。この凹部１５ｃ、１６ｃに嵌合するりん青銅板製のフリクションばね体３１が、カバー８の内底に２個の小ねじ３２で固定されている。軸体１４の径小部１４ｂをカバー８に固定するための小ねじ３０が取り付けられるカバー８の内側部分には、肉厚部８ｅが形成されている。
【００３２】
カバー８内には、スライダー板２５及びスライダー板取付枠２６に対向する位置で、かつ、番号リング１５、１６とカバー８の一方の端部との間に収納空間８ｆが形成されている。図１に示す刻みキーを構成する第１キー１０と第２キー１１、または図１５に示すディンプルキーを構成する第３キー３５と第４キー３６は、この収納空間８ｆに選択的に収納可能となっている。
【００３３】
本実施形態のキーロック装置１は、施錠装置９が、第１保持装置１２と第２保持装置１３の間に配設され、かつ、解錠暗証番号を自由に設定可能なリングキー機構とし、しかも、第１保持装置１２に、第１キー１０を停止スイッチ４の停止位置で仮止めさせる仮止め機構２３を設けるようにしてある。これにより、全体の長さ寸法を８０ｍｍに、幅寸法を２０ｍｍに、高さ寸法を１５ｍｍとすることができる。すなわち従来に比べて、約１／９とすることができ、大幅に小形化が図られるとともに、重量も５０ｇとなり、従来に比べて約１／５とすることができ、軽量化が図られる。本実施形態のキーロック装置１の重量及び大きさであれば、そのキーロック装置１を保守点検者が上着のポケットに入れてエスカレーター２の操作盤３の設置現場まで簡単に持ち歩くことができる。したがって操作盤３への装着作業を簡単に行うことができ、便利である。
【００３４】
以上のような構成であるため、図１４に示すように、例えば刻みキーの差し込みが可能なキー穴を有する薄型キー用の操作盤３に本実施形態に係るキーロック装置１を装着する際には、回動体２１のキー溝２１ｃの刻みキー溝部２１ｃ１に嵌合した第１キー１０が停止スイッチ４のキー穴４ａに差し込まれる。続いてスライダー板２５のキー溝２５ａの第２刻みキー溝部２５ａ１に嵌合した第２キー１１が操作盤３の起動スイッチ５のキー穴５ａに差し込まれる。その後、第１キー１０を停止スイッチ４の停止位置４ｃまで回動させた状態で、カバー８をベース６側に押し付けて係止体１７を被係止体２０に係止させると、カバー８がベース６に施錠される。この場合、ベース６及びカバー８を、操作盤３に対するキーロック装置１の装着面内において回転させる必要がないので、操作盤３の周囲構造に影響されることなく、キーロック装置１を操作盤３に装着できる。
【００３５】
停止スイッチ４のキー穴４ａに差し込んだ第１キー１０、及び起動スイッチ５のキー穴５ａに差し込んだ第２キー１１はカバー８に覆われている。したがって、番号リング１５、１６を回転させて解錠暗証番号以外の番号に変えておけば、釦部１８を押しても被係止体２０から係止体１７が外れず、カバー８開かない。これにより、エスカレーター２の機器を保守点検する保守点検者以外の者が、停止スイッチ４や起動スイッチ５を操作することを確実に阻止できる。
【００３６】
機器を保守点検した保守点検者が、保守点検作業終了後、操作盤３からキーロック装置１を取り外すには、番号リング１５、１６を回転させて解錠暗証番号に合わせて、ストッパー溝２８ａ、２９ａ内にストッパー片１４ａが嵌合可能な状態とする。この状態であれば、釦部１８を押すと軸体１４が移動して被係止体２０から係止体１７が外れるので、カバー８が開く。カバー８が開いたならば、第１キー１０を回動させて停止スイッチ４の中立位置４ｂに戻せば、第１キー１０を停止スイッチ４から抜き取ることができるので、キーロック装置１を操作盤３から取り外すことができる。
【００３７】
なお、ディンプルキーの差し込みが可能なキー穴を有する操作盤３とは異なる図示しない厚型キー用の操作盤に本実施形態に係るキーロック装置１を装着する際にも前述と同様にして行なわれる。すなわち、回動体２１のキー溝２１ｃのディンプルキー溝部２１ｃ２に嵌合した第３キー３５が厚型キー用の操作盤の停止スイッチのキー穴に差し込まれる。続いてスライダー板２５のキー溝２５ａの第２ディンプルキー溝部２５ａ２に嵌合した第４キー３６が厚型キー用の操作盤の起動スイッチのキー穴に差し込まれる。この状態で、第３キー３５を停止スイッチの停止位置まで回動させる。その後の動作は前述の通りである。
【００３８】
番号リング１５、１６の解錠暗証番号を変えたい場合には、図１に示す小ねじ３０をカバー８から外して、軸体１４をカバー８から外し、係止体１７、番号リング１５、１６、ばね体１９、固定リング２８、２９を軸体１４から外す。その後、固定リング２８、２９と番号リング１５、１６の嵌合位置を変えた状態で、再び、軸体１４に、番号リング１５、１６、固定リング２８、２９、係止体１７及びばね体１９を挿入し、その軸体１４をカバー８に小ねじ３０で固定すればよい。このように、固定リング２８、２９と番号リング１５、１６の嵌合位置を変えることにより、番号リング１５、１６の解錠暗証番号を自由に設定できる。同一構造のキーロック装置１を多数作っておき、それらキーロック装置１の番号リング１５、１６の解錠暗証番号が異なるようにしておけば、保守点検者毎に解錠暗証番号の異なるキーロック装置１を携帯させることができる。したがって、機器を保守点検する保守点検者が、自分専用のキーロック装置１の解錠暗証番号を、他の保守点検者に教えないかぎり、自分専用のキーロック装置１の、カバー８の施錠及び解錠を行うことができない。すなわち、機器を保守点検する保守点検者以外の者によって、停止スイッチ４及び起動スイッチ５が操作されることがない。
【００３９】
本実施形態に係るキーロック装置１を用いた保守点検は、例えば次の（１）から（１１）の順で行われる。
【００４０】
（１）安全柵をエスカレーター２の上下入口部に設置し、エスカレーター２を停止させる。
【００４１】
（２）キーロック装置１の番号リング１５、１６の番号を暗証番号である、例えば５−５に合わせる。
【００４２】
（３）５−５に合わせた状態で釦部１８を押して閉じられていたカバー８を開く。
【００４３】
（４）カバー８の収納空間８ｆ内に収納してある第１キー１０及び第２キー１１を取り出す。エスカレーター２の操作盤３に設けた停止スイッチ４のキー穴４ａ及び起動スイッチ５のキー穴５ａの配列に合わせて、第１キー１０を回動体２１のキー溝２１ｃの刻みキー溝部２１ｃ１に差し込み、第２キー１１をスライダー板２５のキー溝２５ａの刻みキー溝部２５ａ１にそれぞれ差し込む。
【００４４】
（５）前述のように第１キー１０を停止スイッチ４のキー穴４ａに差し込み、第２キー１１を起動スイッチ５のキー穴５ａに差し込むことにより、エスカレーター２の操作盤３にキーロック装置１を装着させることができる。
【００４５】
（６）第１キー１０を右に４５度回動させることにより、停止スイッチ４をエスカレーター２を停止させる停止位置４ｃにて、仮止め機構２３によって仮止め、すなわちロックする。
【００４６】
（７）開かれていたカバー８をベース６に向かって押し込み、カバー８側に設けた係止体１７をベース６側に設けた被係止体２０に係合させることにより、カバー８とベース６を施錠させることができる。次に、番号リング１５、１６を暗証番号以外の番号と合うように回転させる。
【００４７】
（８）カバー８とベース６を施錠した状態で、エスカレーター２のくし板、スリムラインランプ、モールディングビス、パネルなどの交換作業あるいはエスカレーター２のステップなどの清掃作業を行う。それら作業が終了した後、再び番号リング１５、１６の番号を暗証番号５−５に合わせて、釦部１８を押し、カバー８を開く。
【００４８】
（９）第１キー１０を左に４５度回動させることにより、停止スイッチ４を中立位置４ｂに戻し、操作盤３からキーロック装置１を取り除く。
【００４９】
（１０）第１キー１０を回動体２１から抜き取り、かつ、第２キー１１をスライダー板２５から抜き取った後、その第１キー１０及び第２キー１１をカバー８の収納空間８ｆに収納する。続いてカバー８とベース６を施錠させた後、番号リング１５、１６を暗証番号以外の番号と合うように回転させる。
【００５０】
（１１）安全柵をエスカレーター２の上下入口部から取り除き、エスカレーター２を駆動させる。
【００５１】
前述した（１）から（１１）のようにしてエスカレーター２の機器の保守点検を行う際に、操作盤３の停止スイッチ４のキー穴４ａと起動スイッチ５のキー穴５ａとの距離が異なっていても本実施形態は対応できる。また、停止スイッチ４のキー穴４ａと起動スイッチ５のキー穴５ａとが一直線に並んだり、あるいは平行に並んだりしていても、本実施形態は対応できる。
【００５２】
停止スイッチ４のキー穴４ａと起動スイッチ５のキー穴５ａとの間の距離が異なる場合には、スライダー板２５を移動させることによって、起動スイッチ５のキー穴５ａへ第２キー１１を差し込むことができる。
【００５３】
また、停止スイッチ４のキー穴４ａと起動スイッチ５のキー穴５ａの配列が異なる場合には、回動体２１のキー溝２１ｃの刻みキー溝部２１ｃ１への第１キー１０の差し込み、及びスライダー板２５のキー溝２５ａの刻みキー溝部２５ａ１への第２キー１１の差し込みの仕方を変えることにより対応できる。
【００５４】
例えば、停止スイッチ４のキー穴４ａと起動スイッチ５のキー穴５ａが平行に配設されている操作盤３の場合には、スライダー板２５の移動方向と、停止スイッチ４のキー穴４ａの長手方向とが直角に交わるようにベース６を操作盤３に配置する。続いて、回動体２１のキー溝２１ｃの刻みキー溝部２１ｃ１に嵌合させた第１キー１０を、停止スイッチ４のキー穴４ａに差し込む。また、スライダー板２５のキー溝２５ａの刻みキー溝部２５ａ１のうち、スライダー板２５の移動方向に対して直角方向に位置する溝部分を利用して、第２キー１１を起動スイッチ５のキー穴５ａに差し込む。続いて、第１キー１０を回動体２１と一体的に４５度時計方向に回動させることにより、仮止め機構２３によって第１キー１０を４５度時計方向に回動した状態を保持できる。
【００５５】
カバー８をベース６に施錠すると、第１キー１０の頭部がカバー８の凹部８ａに嵌合し、かつ、第２キー１１の頭部がカバー８の内底面に当接する。このような状態で、操作盤３にキーロック装置１を装着することができる。
【００５６】
また、停止スイッチ４のキー穴４ａと起動スイッチ５のキー穴５ａが一直線に配設されている操作盤３の場合には、スライダー板２５の移動方向と、停止スイッチ４のキー穴４ａ及び起動スイッチ５のキー穴５ａの配列方向とが同一方向となるようにベース６を操作盤３に配置する。この状態で、回動体２１のキー溝２１ｃの刻みキー溝部２１ｃ１に嵌合させた第１キー１０を、停止スイッチ４のキー穴４ａに差し込む。
【００５７】
この場合、回動体２１が３６０°回動可能であるので、回動体２１のキー溝２１ｃの刻みキー溝部２１ｃ１の位置を停止スイッチ４のキー穴４ａの位置に合わせるのが容易である。
【００５８】
第１キー１０を停止スイッチ４のキー穴４ａに差し込んだ後は、スライダー板２５のキー溝２５ａの刻みキー溝部２５ａ１のうち、スライダー板２５の移動方向に対して平行方向に位置する溝部分を利用して、第２キー１１を起動スイッチ５のキー穴５ａに差し込む。そして、第１キー１０を回動体２１と一体的に４５度時計方向に回動させる。その後、カバー８をベース６に施錠すれば、操作盤３にキーロック装置１を、先に説明した停止スイッチ４のキー穴４ａと起動スイッチ５のキー穴５ａが平行に配設されている操作盤３と同様に装着することができる。
【００５９】
なお、ディンプルキーを構成する図１５に示す第３キー３５、第４キー３６が差し込まれるキー穴を有する厚型キー用の操作盤が設けられたエスカレーター２において、第３キー３５及び第４キー３６を用いて実施される保守点検作業も、前述した第１キー１０及び第２キー１１を用いた場合と同様にして行うことができる。
【００６０】
このように構成した本実施形態は、第１保持装置１２の回動体２１のキー溝２１ｃの形状寸法の設定に応じて停止キー、すなわち刻みキーを構成する第１キー１０と、ディンプルキーを構成する第３キー３５とを選択的にロックすることができる。したがって、刻みキーから成る第１キー１０が差し込まれるキー穴を有する薄型キー用の操作盤３と、ディンプルキーから成る第３キー３５が差し込まれるキー穴を有する厚型キー用の操作盤の双方に対応させることができる。これにより本実施形態は、異なるキー穴を有する複数の操作盤に対するキーロック装置１の共用化を実現でき、製作費を低減させることができる。
【００６１】
また操作盤が、刻みキーである第１キー１０が差し込まれるキー穴を有する薄型キー用の操作盤３か、ディンプルキーである第３キー３５が差し込まれるキー穴を有する厚型キー用の操作盤かにかかわらず、エスカレーター２の設置現場へ１つのキーロック装置１を持ち運べば済む。
【００６２】
また、本実施形態は、刻みキーを構成する第１キー１０と第２キー１１とを、また、ディンプルキーを構成する第３キー３５と第４キー３６とを、それぞれ互いに同一形状寸法に形成し、回動体２１の十字溝を形成するキー溝２１ｃと、スライダー板２５の十字溝を形成するキー溝２５ａを同一形状寸法に設定してある。したがって、第１キー１０を起動スイッチ５のキー穴５ａに差し込んだり、あるいは第２キー１１を停止スイッチ４のキー穴４ａに差し込んだりすることが可能である。また、第３キー３５を厚型キー用の操作盤の起動スイッチのキー穴に差し込んだり、あるいは第４キー３６を厚型キー用の操作盤の停止スイッチのキー穴に差し込んだりすることが可能である。すなわち刻みキーとして２種類のキーを作る必要がなく、また、ディンプルキーとして２種類のキーを作る必要がないので、製作性が優れている。
【００６３】
また、キーロック装置１を持ち運ぶ場合や保管する場合、第１キー１０及び第２キー１１を、あるいは第３キー３５及び第４キー３６を、カバー８の収納空間８ｆに収納しておけばよい。これにより、キーロック装置１とは別個にキーを保管したり、或いは持ち運んだりするようなことがなく、取扱性が優れている。
【００６４】
なお、前述した刻みキーを構成する第１キー１０、及びディンプルキーを構成する第３キー３５が差し込まれるキー溝２１ｃを有する回動体２１に代えて、図１６の（ａ）に示す回動体４１を備えるようにしてもよい。
【００６５】
図１６の（ａ）に示す回動体４１は、キー溝４１ｃが、刻みキーを構成する第１キー１０が差し込み可能な刻みキー溝部４１ｃ１と、この刻みキー溝部４１ｃ１に重ねて設けられ、ディンプルキーを構成する第３キー３５が差し込み可能なディンプルキー溝部４１ｃ２とを有している。また、中央部分に刻みキー溝部４１ｃ１及びディンプルキー溝部４１ｃ２に連通するひし形空間部４１ｃ３を有している。このように形成した回動体４１も、刻みキーを構成する第１キー１０と、ディンプルキーを構成する第３キー３５とを選択的に差し込むことができる。このように構成した回動体４１は、回動体４１を製作する際の材料費を低減できるとともに、キーロック装置１の軽量化に貢献する。
【００６６】
また、前述した刻みキーを構成する第２キー１１、及びディンプルキーを構成する第４キー３６が差し込まれるキー溝２５ａを有するスライダー板２５に代えて、図１６の（ｂ）に示すスライダー板４２を備えるようにしてもよい。
【００６７】
図１６の（ｂ）に示すスライダー板４２は、キー溝４２ａが、刻みキーを構成する第２キー１１が差し込み可能な第２刻みキー溝部４２ａ１と、この第２刻みキー溝部４２ａ１に重ねて設けられ、ディンプルキーを構成する第４キー３６が差し込み可能な第２ディンプルキー溝部４２ａ２とを有している。また、中央部分に第２刻みキー溝部４２ａ１及び第２ディンプルキー溝部４２ａ２に連通するひし形空間部４２ａ３を有している。このように形成したスライダー板４２も、刻みキーを構成する第２キー１１と、ディンプルキーを構成する第４キー３６とを選択的に差し込むことができる。このように構成したスライダー板４２も前述の回動体４１と同様に、スライダー板４２を製作する際の材料費を低減できるとともに、キーロック装置１の軽量化に貢献する。
【００６８】
なお、本発明は、エスカレーター２の停止保持のために活用されることには限定されない。動く歩道等の乗客コンベアの停止保持に際しても活用させることができる。
【００６９】
また、本発明は、乗客コンベアに適用されることには限定されない。停止スイッチを作動させる停止キーを構成する刻みキー等の薄型キーが差し込まれるキー穴を有する薄型キー用の操作盤と、停止スイッチを作動させる停止キーを構成するディンプルキー等の厚型キーが差し込まれるキー穴を有する厚型キー用の操作盤のように、異なるキー穴が形成された複数の操作盤が個別に設置されることがある乗客コンベアとは別の機械に適用することもできる。
【００７０】
なお、各部の構成は図示の実施形態に限定されるものではなく、本発明の主旨を逸脱しない範囲で種々の変更が可能である。
【符号の説明】
【００７１】
１・・キーロック装置、２・・エスカレーター（機械）、３・・操作盤、４・・停止スイッチ、５・・起動スイッチ、６・・ベース、８・・カバー、９・・施錠装置、１０・・第１キー（薄型キー）〔停止キー〕、１１・・第２キー、１２・・第１保持装置、１３・・第２保持装置、２１・・回動体、２１ｃ・・キー溝、２１ｃ１・・刻みキー溝部（薄型キー溝部）、２１ｃ２・・ディンプルキー溝部（厚型キー溝部）、２５・・スライダー板、２５ａ・・キー溝、２５ａ１・・第２刻みキー溝部、２５ａ２・・第２ディンプルキー溝部、３５・・第３キー（厚型キー）〔停止キー〕、３５ａ・・側面、３５ａ１・・凹部、３６・・第４キー、３６ａ・・側面、３６ａ１・・凹部、４１・・回動体、４１ｃ・・キー溝、４１ｃ１・・刻みキー溝部（薄型キー溝部）、４１ｃ２・・ディンプルキー溝部（厚型キー溝部）、４２・・スライダー板、４２ａ・・キー溝、４２ａ１・・第２刻みキー溝部、４２ａ２・・第２ディンプルキー溝部
【図１】
2018168538.tif 000003
【図２】
2018168538.tif 000004
【図３】
2018168538.tif 000005
【図４】
2018168538.tif 000006
【図５】
2018168538.tif 000007
【図６】
2018168538.tif 000008
【図７】
2018168538.tif 000009
【図８】
2018168538.tif 000010
【図９】
2018168538.tif 000011
【図１０】
2018168538.tif 000012
【図１１】
2018168538.tif 000013
【図１２】
2018168538.tif 000014
【図１３】
2018168538.tif 000015
【図１４】
2018168538.tif 000016
【図１５】
2018168538.tif 000017
【図１６】
2018168538.tif 000018
【図１７】
2018168538.tif 000019